(57)【特許請求の範囲】
【請求項１】
エレベータのかご室を形成する平行側壁パネルに対して傾斜して配置された既設傾斜袖壁パネルに、既設傾斜袖壁パネルが持つ開口内に筐体が受け入れられて取り付けられた既設操作盤を新規操作盤と交換する操作盤交換方法であって、
既設操作盤を既設傾斜袖壁パネルから取り外し、
新規操作盤の筐体を受け入れる開口を持つ平板状の新規傾斜袖壁パネルを、既設傾斜袖壁パネルに対して平行に新規操作盤の筐体の厚さよりも大きな距離だけ離間させて重ねて配置して、上記既設傾斜袖壁パネルと上記新規傾斜袖壁パネルとの間に上記新規操作盤の筐体を受け入れる筐体受入空間を形成し、上記平行側壁パネルあるいは上記既設傾斜袖壁パネルに取り付け、
上記新規傾斜袖壁パネルの上記開口内に上記新規操作盤の上記筐体を受け入れさせて上記新規操作盤を上記新規傾斜袖壁パネルに取り付けることを特徴とする操作盤交換方法。
【請求項２】
エレベータのかご室を形成する平行側壁パネルに対して傾斜して配置された既設傾斜袖壁パネルに、既設傾斜袖壁パネルが持つ開口内に筐体が受け入れられて取り付けられた既設操作盤を新規操作盤と交換して取り付けるために用いる傾斜袖壁パネルであって、
新規操作盤の筐体を受け入れる開口を持ち、上記新規操作盤を保持する平板状のパネル本体と、
上記パネル本体に取り付けられて、上記パネル本体を上記平行側壁パネルあるいは上記既設傾斜袖壁パネルに取り付けて、上記パネル本体が、上記既設傾斜袖壁パネルに対して平行に上記新規操作盤の上記筐体の厚さよりも大きな距離だけ離間させて重ねて配置されて、上記既設傾斜袖壁パネルと上記新規傾斜袖壁パネルとの間に上記新規操作盤の上記筐体を受け入れる筐体受入空間を形成させる取り付けフランジとを備えたことを特徴とする操作盤交換用の傾斜袖壁パネル。
【請求項３】
上記新規傾斜袖壁パネルの幅寸法は、上記新規操作盤の上記筐体の厚さよりも大きな距離だけ離間させて配置したときに、上記新規傾斜袖壁パネルの側縁が上記平行側壁パネルに近接した位置となって上記既設傾斜袖壁パネルが上記新規傾斜袖壁パネルによって覆われるような寸法であることを特徴とする請求項２に記載の操作盤交換用の傾斜袖壁パネル。
【請求項４】
上記取り付けフランジは、上記新規傾斜袖壁パネルの側縁から上記平行側壁パネルに沿って平行に、上記筐体受入空間内に延びていることを特徴とする請求項２あるいは３に記載の操作盤交換用の傾斜袖壁パネル。
【請求項５】
上記取り付けフランジは、上記新規傾斜袖壁パネルから上記既設傾斜袖壁パネルの上記開口内に挿入されて、上記開口の縁部に取り付けられることを特徴とする請求項２あるいは３に記載の操作盤交換用の傾斜袖壁パネル。
【発明の詳細な説明】
【技術分野】
【０００１】
この発明はエレベータの操作盤を交換するための操作盤交換方法および傾斜壁パネルに関するものである。
【背景技術】
【０００２】
エレベータのリニューアルに当たって操作盤を交換する場合には、既設袖壁パネルに取付板を介して新規操作盤を取付けることが多い（例えば特許文献１参照）。
【先行技術文献】
【特許文献】
【０００３】
【特許文献１】特開平８−２９５４７１号公報
【発明の概要】
【発明が解決しようとする課題】
【０００４】
しかしながら、このような従来の交換方法においては、既設操作盤の操作盤筐体の幅寸法等によっては現地での作業にかなりの時間が必要になることがあり、新たに取り付けるべき新規操作盤は情報表示として大画面の表示装置を持つ傾向がある為、近年のリニューアルによって操作盤を大型で大画面の表示装置を持つ新規操作盤に交換するような要望に応えることが困難になっている。
【０００５】
また従来、エレベータのかご室内の操作盤を、かご室を形成する平行壁パネルに対して傾斜して配置された傾斜袖壁パネルに取り付けたかごが多く用いられてきているが、操作盤の筐体が傾斜袖壁パネルに設けられた開口内に筐体が受け入れられて取り付けられている場合に、傾斜袖壁パネルの両側の平行袖壁パネルと干渉させずにより大型の新規操作盤を傾斜袖壁パネルに取り付けることが不可能な場合がある。
【０００６】
従ってこの発明の目的は、エレベータのかご室を形成する平行壁パネルに対して傾斜して配置された傾斜袖壁パネルに取り付けたかごにおいても、既設袖壁パネルよりも幅の広い新規操作盤をも簡単な作業によって取り付けることができる操作盤交換方法および傾斜袖壁パネルを提供することである。
【課題を解決するための手段】
【０００７】
この発明の操作盤交換方法によれば、エレベータのかご室を形成する平行側壁パネルに対して傾斜して配置された既設傾斜袖壁パネルに、既設傾斜袖壁パネルが持つ開口内に筐体が受け入れられて取り付けられた既設操作盤を新規操作盤と交換する操作盤交換方法であって、既設操作盤を既設傾斜袖壁パネルから取り外し、新規操作盤の筐体を受け入れる開口を持つ平板状の新規傾斜袖壁パネルを、既設傾斜袖壁パネルに対して平行に新規操作盤の筐体の厚さよりも大きな距離だけ離間させて重ねて配置して、上記既設傾斜袖壁パネルと上記新規傾斜袖壁パネルとの間に上記新規操作盤の筐体を受け入れる筐体受入空間を形成し、上記平行側壁パネルあるいは上記既設傾斜袖壁パネルに取り付け、上記新規傾斜袖壁パネルの上記開口内に上記新規操作盤の上記筐体を受け入れさせて上記新規操作盤を上記新規傾斜袖壁パネルに取り付けることを特徴とする操作盤交換方法が得られる。
【０００８】
またこの発明の操作盤交換用の新規傾斜袖壁パネルによれば、エレベータのかご室を形成する平行側壁パネルに対して傾斜して配置された既設傾斜袖壁パネルに、既設傾斜袖壁パネルが持つ開口内に筐体が受け入れられて取り付けられた既設操作盤を新規操作盤と交換して取り付けるために用いる傾斜袖壁パネルであって、新規操作盤の筐体を受け入れる開口を持ち、上記新規操作盤を保持する平板状のパネル本体と、上記パネル本体に取り付けられて、上記パネル本体を上記平行側壁パネルあるいは上記既設傾斜袖壁パネルに取り付けて、上記パネル本体が、上記既設傾斜袖壁パネルに対して平行に上記新規操作盤の上記筐体の厚さよりも大きな距離だけ離間させて重ねて配置されて、上記既設傾斜袖壁パネルと上記新規傾斜袖壁パネルとの間に上記新規操作盤の上記筐体を受け入れる筐体受入空間を形成させる取り付けフランジとを備えたことを特徴とする傾斜袖壁パネルが得られる。
【発明の効果】
【０００９】
この発明の操作盤交換方法および傾斜袖壁パネルによれば、既設袖壁では物理的に設置不可能であった幅の広い新規操作盤をも簡単な作業によって取り付けることができるという効果が得られる。
【図面の簡単な説明】
【００１０】
【図１】この発明のエレベータの操作盤交換方法および傾斜袖壁パネルによって交換すべき操作盤を備えたかごの傾斜袖壁パネルとその周辺の平行側壁パネルを示す概略斜視図である。
【図２】図１のかごの傾斜袖壁パネルとその周辺の平行側壁パネルを示す概略平面断面図である。
【図３】この発明の実施の形態１によるエレベータの操作盤交換方法および傾斜袖壁パネルによって交換された新規操作盤を備えたかご室内の様子を示す概略斜視図である。
【図４】図３の新規操作盤を示す概略平面断面図である。
【図５】図４のエレベータの操作盤交換方法を示す分解図である。
【図６】この発明の実施の形態２によるエレベータの操作盤交換方法によって交換した新規操作盤を示す概略平面断面図である。
【図７】図６のエレベータの操作盤交換方法を示す分解図である。
【発明を実施するための形態】
【００１１】
以下、この発明の実施の形態について説明する。
【００１２】
実施の形態１．
図１にはエレベータのかごの傾斜袖壁パネルに交換すべき既設操作盤が取り付けられている状態を概略斜視図で示してあり、図２には図１の既設操作盤がかごの傾斜袖壁パネルに取り付けられている様子を示す概略平面断面図である。これらの図において、エレベータのかごは、内部にかご室１を形成する全体としてほぼ直方体の箱形の構造体であって、床２と、天井３と、床２および天井３間に連結された互いに平行な側壁パネル４（一枚だけが図示されている）と、側壁パネル４間に連結された後壁パネル（図示してない）と、出入口を形成する三方枠５と、出入口を開閉する扉６と、三方枠５および側壁パネル４間に連結されて後壁パネル（図示してない）に平行な袖壁パネル７と、袖壁パネル７および側壁パネル４間に連結された既設傾斜袖壁パネル８とを備えている。
【００１３】
この発明においては、このようなほぼ直方体の箱形のかごの互いに平行に配置された壁の壁パネルを平行壁パネルと呼ぶ。従って、平行壁パネルとは側壁パネル４だけでなく袖壁パネル７も後壁パネル（図示してない）も含むものであり、既設傾斜袖壁パネル８はこれらの平行壁パネルに対して例えば４５度の角度で傾斜した垂直面内に配置された袖壁パネルである。
【００１４】
図２から明らかなように、平行壁パネルである側壁パネル４、三方枠５および袖壁パネル７などはそれぞれが、折り曲げ板金加工で形成された一枚あるいは複数枚のパネル部材で構成されていて、それぞれのパネル間は折り曲げ加工により側縁に設けられたフランジ９と、ボルト、ネジ、クリップ等の締結金具１０とによって結合されている。図示の例では、平行側壁である袖壁パネル７と傾斜袖壁パネル８とは互いに約４５度の角度で傾斜して連続した一体のパネルとして作られていて、袖壁パネル７と三方枠５との間および傾斜袖壁パネル８と側壁パネル４との間は、それぞれのフランジ９と締結金具１０とによって結合されている。
【００１５】
傾斜袖壁パネル８には、既設操作盤１１が取り付けられている。すなわち、傾斜袖壁パネル８には、開口１２が設けられていて、開口１２の縁部の一部には取り付けブラケット１３が形成されている。交換すべき既設操作盤１１は、その筐体１４が開口１２内に挿入され、そのフロントパネル１５が傾斜袖壁パネル８の前面上に乗せられた状態で、ブラケット１３に締結金具１６によって取り付けられている。
【００１６】
図３には、この発明の実施の形態１によるエレベータの操作盤の交換方法および傾斜袖壁パネルによって、図１および図２に示すかご室１の既存の操作盤１１が、新規傾斜袖壁パネル１７を用いて新規操作盤１８に交換された状態を示してあり、図４は図３の新規操作盤１８と新規傾斜袖壁パネル１７とを示す図２と同様の概略平面断面図であり、図５は図４のエレベータの新規操作盤１８の取り付け方法を示す分解図である。
【００１７】
交換すべき既設操作盤１１は、図１および２に示すように、エレベータのかご室１を形成する平行壁パネルである側壁パネル４および袖壁パネル７に対して傾斜して配置された傾斜袖壁パネル８に、傾斜袖壁パネル８が持つ開口１２内に筐体１４が受け入れられて取り付けられている。この既設操作盤１１を、図３〜５に示すような新規操作盤１８と交換するためには、先ず筐体１４をブラケット１３に固定している締結金具１６を取り外して既設操作盤１１を既設の傾斜袖壁パネル８から取り外す。
【００１８】
新規操作盤１８は、形状および寸法の様々なものであっても良いが、平面形が矩形であるのが一般的であり、図示の例では、既設操作盤１１のものよりも長さおよび幅が大きいが厚さは小さくされている筐体１９と、既設操作盤１１のフロントパネル１５よりも長さおよび幅が大きく、厚さが同程度のフロントパネル２０とを持っている。このような新規操作盤１８は、筐体１９の幅および長さが既設の傾斜袖壁パネル８の開口１２の幅および長さよりも大きいために開口１２内に挿入できず、またフロントパネル２０の幅が傾斜袖壁パネル８の幅よりも大きいために平行壁パネルである側壁パネル４と袖壁パネル７とに干渉してしまい、取り付けることができない。
【００１９】
従ってこの発明によれば、先ず、新規操作盤１８の筐体１９を受け入れることのできる開口２１を持つ平板状の新規傾斜袖壁パネル１７を、平行壁パネルである側壁パネル４および袖壁パネル７に取り付ける。このとき、新規傾斜袖壁パネル１７を既設の傾斜袖壁パネル８に対して平行にかつ新規操作盤１８の筐体１９の厚さに対応して例えば僅かに大きな距離だけ離間させて重ねて配置して、既設傾斜袖壁パネル８と新規傾斜袖壁パネル１７との間に新規操作盤１８の筐体１９を受け入れる筐体受入空間２２を形成する。この新規傾斜袖壁パネル１７の開口２１内に新規操作盤１８の筐体１９を受け入れさせ、開口２１に設けた取り付けブラケット２３に締結金具２４を用いて結合することにより新規操作盤１８を新規傾斜袖壁パネル１７に取り付けることができる。新規傾斜袖壁パネル１７は、後に詳述するように既設の傾斜袖壁パネル８に取り付けることもできる。
【００２０】
このように、新規傾斜袖壁パネル１７は、新規操作盤１８の筐体１９を受け入れる開口２１を持ち、ブラケット２３と締結金具２４によって新規操作盤１８を保持する平板状のパネル本体２５と、パネル本体２５に取り付けられて、パネル本体２５を平行壁である側壁パネル４あるいは既設の傾斜袖壁パネル８に取り付ける取り付けフランジ２６とを備えている。取り付けフランジ２６は、パネル本体２５を取り付けたときに、パネル本体２５を、既設の傾斜袖壁パネル８に対して平行に新規操作盤１８の筐体１９の厚さに対応して僅かに大きな距離だけ離間させて重ねて配置させて、既設の傾斜袖壁パネル８と新規傾斜袖壁パネル１７との間に新規操作盤１８の筐体１９を受け入れる筐体受入空間２２を形成するものである。
【００２１】
取り付けフランジ２６は、パネル本体２５の両側縁から平行壁パネルである側壁パネル４および袖壁パネル７に沿って平行に筐体受入空間２２内に延びている。図示の例では、取り付けフランジ２６は、パネル本体２５に対して４５度の角度を成すように折り曲げられていて、締結金具２７によって平行壁パネルである側壁パネル４および袖壁パネル７に結合されるようにしてある。また、新規傾斜袖壁パネル１７の幅寸法は、新規操作盤１８の筐体１９の厚さに対応して僅かに大きな距離だけ離間させて配置したときに、新規傾斜袖壁パネル１７の側縁が平行壁パネルである側壁パネル４および袖壁パネル７に近接した位置（すなわち接触あるいは極めて近い位置）となって、既設の傾斜袖壁パネル８が新規傾斜袖壁パネル１７によって覆われるような寸法である。図３に示す例では、既設の傾斜袖壁パネル８は、新規傾斜袖壁パネル１７によって完全に覆われていて見えないようにされている。
【００２２】
このようなエレベータ操作盤の交換方法および交換用壁パネルによれば、既設袖壁では物理的に設置することが不可能であった幅の広い新規操作盤を据え付けることができ、例えば大表示画面付きの新規操作盤を設置することが可能になり、新設同様の意匠性を得ることができる。このため、新設同一品を適用することによりコスト削減，開発時間短縮が図れる。また、交換作業は全てかご内から実行することができ、既設の壁パネルへの加工も最小限であるので交換作業時間を大幅に短縮することができる。さらに、傾斜袖壁を持つかごにおいては、すべてのかごサイズに対応でき、操作盤の筐体サイズによらず適用が可能である。
【００２３】
実施の形態２．
図６および７に示す操作盤交換用の新規傾斜袖壁パネル２８は、取り付けフランジ２９が、既設の傾斜袖壁パネル８の開口１２内に挿入されて、開口１２の縁部に取り付けられるように構成してある。すなわち、図示の例では、新規傾斜袖壁パネル２８は、図５に示すようなパネル本体２５の両側縁から内側に折り曲げられた取り付けフランジ２６を備えておらず、パネル本体２５の開口２１の縁部から折り曲げて設けた新規操作盤１８の筐体１９のための取り付けブラケット２３の先端に、既設の傾斜袖壁パネル８の開口１２内に挿入されて取り付けブラケット１３に締結金具３０によって結合できる取り付けフランジ２９が設けられている。図示の例では、取り付けフランジ２９は取り付けブラケット２３の先端の延長部分を直角に２回折り曲げられて形成されたクランク形状部分である。
【００２４】
このような取り付けフランジ２９を持つ新規傾斜袖壁パネル２８を用いれば、新規傾斜袖壁パネル２８の既設傾斜袖壁パネル８への取付を、既存の開口１２およびブラケット１３を使用して行うことが可能となる。この方式により平行壁パネルである側壁パネル４および袖壁パネル７や既設傾斜袖壁パネル８等への穴加工が一切不要になり、据付時の作業性が大幅に向上する。
【００２５】
以上に図示して説明した操作盤交換方法および操作盤交換用の傾斜袖壁パネルは単なる例であって、実施に当たっては様々な変形が可能であり、またそれぞれの具体例の特徴を全てあるいは選択的に組み合わせて用いることもできる。
【産業上の利用可能性】
【００２６】
この発明はエレベータの既設操作盤を新規操作盤と交換する操作盤交換方法および操作盤交換用の傾斜袖壁パネルに利用できるものである。
【符号の説明】
【００２７】
１  かご室、２  床、３  天井、４  側壁パネル、５  三方枠、６  扉、７  袖壁パネル、８  既設傾斜袖壁パネル、９、２６、２９  フランジ、１０、１６、２４、２７、３０  締結金具、１１  既設操作盤、１２、２１  開口、１３、２３  ブラケット、１４、１９  筐体、１５、２０  フロントパネル、１７、２８  新規傾斜袖壁パネル、１８  新規操作盤、２２  筐体受入空間、２５  パネル本体。
【図１】
0005452239.tif 000002
【図２】
0005452239.tif 000003
【図３】
0005452239.tif 000004
【図４】
0005452239.tif 000005
【図５】
0005452239.tif 000006
【図６】
0005452239.tif 000007
【図７】
0005452239.tif 000008